(57)【要約】【課題】車外の対象に向けた表示を車内の人物が確実に認識することを可能とする。【解決手段】車両のガラスに表示を行うＨＵＤ装置５００と、車両外に存在する対象人物の位置を取得する環境情報取得部４０２と、対象人物の位置に応じて、対象人物に向けた表示が反転するようにＨＵＤ装置５００を制御するＨＵＤ制御部４１４と、を備える車両の表示システム１０００が提供される。この構成により、車外の対象に向けた表示を車内の人物が確実に認識することが可能となる。【選択図】図１
2018156176.tif 000002
【特許請求の範囲】
【請求項１】
車両の窓部に表示を行う表示装置と、
車両外に存在する対象人物の位置を取得する位置取得部と、
前記対象人物の位置に応じて、前記対象人物に向けた表示が反転するように前記表示装置を制御する表示制御部と、
を備えることを特徴とする、車両の表示システム。
【請求項２】
前記表示制御部は、前記対象人物に向けた前記表示の表裏又はネガポジが反転するように前記表示装置を制御することを特徴とする、請求項１に記載の車両の表示システム。
【請求項３】
前記表示制御部は、前記対象人物までの距離が所定の第１のしきい値以上の場合に、前記対象人物に向けた前記表示が反転するように前記表示装置を制御することを特徴とする、請求項１又は２に記載の車両の表示システム。
【請求項４】
前記表示制御部は、前記対象人物に向けた前記表示を反転させた後、前記対象人物に向けた表示を行うように前記表示装置を制御することを特徴とする、請求項３に記載の車両の表示システム。
【請求項５】
前記対象人物が車両に気付いているか否かを判定する判定部を備え、
前記表示制御部は、前記対象人物が車両に気付いており、前記対象人物までの距離が所定の第２のしきい値以上離れた場合は、前記対象人物に向けた前記表示を終了させることを特徴とする、請求項４に記載の車両の表示システム。
【請求項６】
前記対象人物が車両に気付いていない場合に、警告音を発生させる警告音発生部を更に備えることを特徴とする、請求項５に記載の車両の表示システム。
【請求項７】
車両の窓部に表示を行う表示装置を有する車両の表示システムの制御方法であって、
車両外に存在する対象人物の位置を取得するステップと、
前記対象人物の位置に応じて、前記対象人物に向けた表示が反転するように前記表示装置を制御するステップと、
を備えることを特徴とする、車両の表示システムの制御方法。
【発明の詳細な説明】
【技術分野】
【０００１】
本発明は、車両の表示システム及び車両の表示システムの制御方法に関する。
【背景技術】
【０００２】
従来、例えば下記の特許文献１には、車両用表示装置において、画像の一部分をネガ表示することが記載されている。
【先行技術文献】
【特許文献】
【０００３】
【特許文献１】特開２００７−５２７１９号公報
【発明の概要】
【発明が解決しようとする課題】
【０００４】
例えば、車外の対象である人物に向けて表示を行う場合、車内のドライバなどの人物がその表示内容を認識していないと、車外の対象に対して適正な表示を行うことができない場合が想定される。しかしながら、上記特許文献に記載された技術では、運転者に対する表示をネガ表示に反転するものであり、車外の対象に向けた表示を行うことは想定していなかった。
【０００５】
そこで、本発明は、上記問題に鑑みてなされたものであり、本発明の目的とするところは、車外の対象に向けた表示を車内の人物が確実に認識することが可能な、新規かつ改良された車両の表示システム及び車両の表示システムの制御方法を提供することにある。
【課題を解決するための手段】
【０００６】
上記課題を解決するために、本発明のある観点によれば、車両の窓部に表示を行う表示装置と、車両外に存在する対象人物の位置を取得する位置取得部と、前記対象人物の位置に応じて、前記対象人物に向けた表示が反転するように前記表示装置を制御する表示制御部と、を備える、車両の表示システムが提供される。
【０００７】
前記表示制御部は、前記対象人物に向けた前記表示の表裏又はネガポジが反転するように前記表示装置を制御するものであっても良い。
【０００８】
また、前記表示制御部は、前記対象人物までの距離が所定の第１のしきい値以上の場合に、前記対象人物に向けた前記表示が反転するように前記表示装置を制御するものであっても良い。
【０００９】
また、前記表示制御部は、前記対象人物に向けた前記表示を反転させた後、前記対象人物に向けた表示を行うように前記表示装置を制御するものであっても良い。
【００１０】
また、前記対象人物が車両に気付いているか否かを判定する判定部を備え、前記表示制御部は、前記対象人物が車両に気付いており、前記対象人物までの距離が所定の第２のしきい値以上離れた場合は、前記対象人物に向けた前記表示を終了させるものであっても良い。
【００１１】
また、前記対象人物が車両に気付いていない場合に、警告音を発生させる警告音発生部を更に備えるものであっても良い。
【００１２】
上記課題を解決するために、本発明の別の観点によれば、車両の窓部に表示を行う表示装置を有する車両の表示システムの制御方法であって、車両外に存在する対象人物の位置を取得するステップと、前記対象人物の位置に応じて、前記対象人物に向けた表示が反転するように前記表示装置を制御するステップと、を備える、車両の表示システムの制御方法が提供される。
【発明の効果】
【００１３】
本発明によれば、車外の対象に向けた表示を車内の人物が確実に認識することが可能となる。
【図面の簡単な説明】
【００１４】
【図１】本発明の一実施形態に係る車両の表示システムの構成を示す模式図である。
【図２】自発光中間膜を用いたＨＵＤ装置を示す模式図である。
【図３】車両外の対象の顔領域に基づいて、顔が向いている角度等を算出する様子を示す模式図である。
【図４】反転アニメーションによる表示の例を示す模式図である。
【図５】ネガポジ反転による表示の例を示す模式図である。
【図６】車両外の人物が車両８００に気付いたか否かを判定する手法を示す模式図である。
【図７】本実施形態に係る車両システムで行われる処理を示すフローチャートである。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
図１は、本発明の一実施形態に係る車両の表示システム１０００の構成を示す模式図である。車両の表示システム１０００は、基本的には自動車などの車両に構成されるシステムである。図１に示すように、車両の表示システム１０００は、車外センサ１００、ドライバセンサ２００、制御装置４００、ＨＵＤ装置５００、スピーカ（警告音発生部）６００、シート振動部７００を有して構成されている。
【００１７】
車外センサ１００は、ステレオカメラ、単眼カメラ、ミリ波レーダ、赤外線センサ等から構成され、自車両周辺の人や車両などの位置、速度を測定する。車外センサ１００がステレオカメラから構成される場合、ステレオカメラは、ＣＣＤセンサ、ＣＭＯＳセンサ等の撮像素子を有する左右１対のカメラを有して構成され、車両外の外部環境を撮像し、撮像した画像情報を制御装置４００へ送る。一例として、ステレオカメラは、色情報を取得可能なカラーカメラから構成され、車両のフロントガラスの上部に設置される。
【００１８】
ＨＵＤ（Ｈｅａｄ−ｕｐ  Ｄｉｓｐｌａｙ）装置５００は、人間の視野に直接情報を映し出す表示装置であって、自動車のフロントガラスやリアガラスなどのガラス上に実像を表示する。ＨＵＤは虚像を表示する装置が一般的に知られているが、本実施形態では、実像を映し出す表示装置を用いる。ＨＵＤ装置５００は、実像を表示しているため、視野角がほぼ３６０°あり、車内外から表示を視認することが可能である。
【００１９】
ＨＵＤ装置５００として、より具体的には、図２に示すような自発光中間膜５１０を用いる装置を用いることができる。この場合、車両のフロントガラス、リアガラス等において、表裏の２枚のガラス５２０で挟むように自発光中間膜５１０を配置する。自発光中間膜５１０には発光材料が含まれており、車内に設置するプロジェクター５３０からレーザ光を照射すると、照射された部分が発光し、文字や画像が表示される。表示物は全角度からの視認性を有し、運転席以外の席や、車両外部からも視認することができる。なお、ＨＵＤ装置５００は、自発光タイプのデバイスを車両のガラスに配置することで構成することもできる。この場合、例えば有機ＥＬ素子を用いた透明スクリーン、または透過型液晶装置等を用いることもできる。また、表示デバイスとして、ＨＵＤ装置５００以外のデバイスを用いても良く、例えばインパネに設置した大型液晶装置やＬＥＤ表示装置などを用いても良い。なお、以下では、表示装置として車両の窓部（ガラス）に表示を行うＨＵＤ装置５００を例に挙げて説明するが、本発明に係る表示装置はこれに限定されるものではなく、車両の内部又は外部に設けられた表示装置の全ての態様を含む。例えば、本実施形態に係る表示装置は、車両外部の窓部以外（ボディーなど）に設けられていても良く、車両内部の窓部以外（インパネ、座席など）に設けられていても良い。また、車両の内部に設けられた表示装置と車両の外部に設けられた表示装置は一体であっても良いし、別体であっても良い。
【００２０】
ドライバセンサ２００は、カメラ、視線センサ、モーションセンサ等から構成され、ドライバ（運転者）の頭や腕の動き、視線方向などを測定する。ドライバセンサ２００がカメラから構成される場合、カメラが撮像した画像を画像処理することで、頭や腕の動き、視線方向などを取得する。ドライバセンサ２００が視線センサから構成される場合、角膜反射法などの方法により視線検出を行う。着座センサ３００は、車両内の各座席に設けられ、座席に人が座ったか否かを判定する。スピーカ６００は、ＨＵＤ装置５００によって車両の内外へ警告を表示する際に、車両の内外へ警告音を発生させる。シート振動部７００は、車両の座席に設けられ、ＨＵＤ装置５００によって車両内へ警告を表示する際に、座席を振動することでドライバ、同乗者へ警告を行う。
【００２１】
制御装置４００は、車外センサ１００、ドライバセンサ２００等が検出した情報に基づいて、ＨＵＤ装置５００による表示を制御する。このため、制御装置４００は、環境情報取得部４０２、環境状態判定部４０７、距離判定部４１０、ＨＵＤ制御部（表示制御部）４１４を有している。なお、制御装置４００の各構成要素は、回路（ハードウェア）、またはＣＰＵなどの中央演算処理装置とこれを機能させるためのプログラム（ソフトウェア）によって構成されることができる。
【００２２】
環境情報取得部（位置取得部）４０２は、車外センサ１００を構成するステレオカメラの左右１組のカメラによって撮像した左右１組のステレオ画像対に対し、対応する位置のずれ量から三角測量の原理によって対象物までの距離情報を生成して取得することができる。同時に、環境情報取得部４０２は、画像情報から被写体の位置情報を取得することができる。また、環境情報取得部４０２は、三角測量の原理によって生成した距離情報に対して、周知のグルーピング処理を行い、グルーピング処理した距離情報を予め設定しておいた三次元的な立体物データ等と比較することにより、立体物データや白線データ等を検出する。これにより、制御装置３００は、人物、他車両、一時停止の標識、停止線、ＥＴＣゲートなどを認識することもできる。
【００２３】
また、環境情報取得部４０２は、三角測量の原理によって生成した人物、他車両との距離情報を用いて、人物や他車両との距離の変化量、相対速度を算出することができる。距離の変化量は、単位時間ごとに検知されるフレーム画像間の距離を積算することにより求めることができる。また、相対速度は、単位時間ごとに検知される距離を当該単位時間で割ることにより求めることができる。
【００２４】
このように、環境情報取得部４０２は、車外センサ１００から得られる車両外の画像情報を取得して画像分析処理を行い、画像情報を分析して車両外の環境情報を取得する。
【００２５】
図３は、車両外の対象（人物）の顔領域１０に基づいて、顔が向いている角度等を算出する様子を示す模式図である。画像情報から得られる人物の顔領域１０に基づいて、人物の顔向きが予め定めた領域を外れているか否かをモニタリングする。なお、人物の顔領域１０は、目、鼻、口など顔の各部位の特徴点の位置情報から設定できる。また、顔向きは、一例として、正面から見た時の目の間隔を基準とし、この基準と画像情報から得られる目の間隔とを比較することで推定することができる。画像情報から得られる目の間隔が基準値よりも小さい程、顔向きが正面から横向きにずれていると判断できる。
【００２６】
図３の右下には、検知結果２０を示している。検知結果２０には、縦軸に「顔の上下方向の角度」、横軸に「顔の左右方向の角度」を表示しており、×印３０は検知された顔向きを示している。
【００２７】
制御装置４００の環境状態判定部４０７は、環境情報取得部４０２が取得した環境情報に基づいて、車両外の環境情報を判定する。特に、環境状態判定部４０７は、車両外の対象として人物や車両の状態を判定することができる。距離判定部４１０は、環境情報取得部４０２が取得した距離情報に基づいて、車両外の対象と車両との距離を判定する。
【００２８】
本実施形態では、車両周辺の状況に応じて車内外の誰に向けた表示なのか分かるようにＨＵＤ装置５００による表示を切り換える。この際、車両周辺の状況に応じて、反転アニメーション表示、又はネガポジ反転表示を行うことで、車内外の誰に向けた表示なのかが分かるように表示の切り替えを行う。
【００２９】
具体的には、車両周辺の状況として車両外の対象までの距離を用い、対象までの距離から緊急性を判定し、緊急性が高い場合は直ちに車両外の対象に向けた車外向けの表示を行う。また、緊急性が低い場合は反転アニメーションや、ネガティブ画とポジティブ画の反転の表示過程を挟み、その後に車外向けの表示をすることによりドライバに表示内容を認識させる。表示内容が車外向けのものであっても、反転して表示することにより、車内のドライバ等の人物が視認し易くなるため、緊急性が低い場合は、反転した表示を行うことで、車内の人物に表示内容を確実に認識させることが可能である。
【００３０】
また、車両周辺の状況として、対象が自車両に気付いているかを示す情報を用い、対象が自車両に気付いていない場合は、スピーカ６００から警笛もしくは音を鳴らし対象に自車両を気付かせた後に車外向けの表示を行うことで、対象に車外表示を気付かせやすくする。
【００３１】
図４は、本実施形態における表示の例を示す模式図であって、反転アニメーションによる表示の例を示している。図４に示す例では、車両発進時に「発進します」という表示８０２が車両のフロントガラス８１０に表示される。表示８０２の表裏は繰り返し反転され、最終的には反転を停止して車外に向けた表示が行われる。以上のような反転アニメーション表示を行うことで、車外表示を行う際に、車内の人に対して確実に表示８０２を認識させることができる。
【００３２】
図５は、ネガポジ反転による表示の例を示す模式図である。図５に示すように、車外の人物が存在する位置、車両の移動方向などを示す矢印の表示８０２が車両のフロントガラス８１０に表示される。表示８０２のネガポジは繰り返し反転され、最終的には反転を停止して車外に向けた表示が行われる。以上のようなネガポジ反転による表示を行うことで、車外表示を行う際に、車内の人に対して確実に表示８０２を認識させることができる。
【００３３】
車両外の人物が自車両８００に気付いた場合は、車外表示の位置、サイズを変更し、画像５４０を目立たなくする。図６は、車両外の人物９００が車両８００に気付いたか否かを判定する手法を示す模式図であって、上方から車両８００及び人物９００を見た状態を示している。図６に示すように、車外センサ１００により人物９００が検出され、環境情報取得部４０２により人物９００の顔向きが検出されると、人物９００の位置Ｗを始点とした顔向きを示す矢印Ａ１が定まる。環境状態判定部４０６は、この矢印Ａ１が車両８００の方向を指していれば、人物９００が車両８００に気付いたと判定する。
【００３４】
次に、図７のフローチャートに基づいて、本実施形態に係る車両システム１０００で行われる処理について説明する。図７に示す処理は、制御装置４００の各構成要素によって行われ、所定の制御周期毎に繰り返し行われる。先ず、ステップＳ１０では、車外センサの情報から車外に表示を視認する対象（人物９００）が存在するか否かを判定する。次のステップＳ１２では、環境情報取得部４０２が、人物９００までの距離と方向を取得する。次のステップＳ１４では、距離判定部４１０が、自車両８００から人物９００までの距離Ｌが所定のしきい値Ｘより小さいか否かを判定し、距離Ｌがしきい値Ｘよりも小さい場合は、緊急性が高いと判断し、ステップＳ１６へ進む。ステップＳ１６では、人物９００に向けて表示８０２を行う。一方、ステップＳ１４で距離Ｌがしきい値Ｘ以上の場合はステップＳ２４へ進む。ステップＳ２４では、図４及び図５に示した反転アニメーションやネガポジ反転を行い、ドライバに車外への表示８０２を行うことを知らせる。ステップＳ２４の後はステップＳ１６に進み、対象に向けて表示８０２を行う。
【００３５】
ステップＳ１６の後はステップＳ２０へ進み、図６に示した方法により、環境状態判定部４０７が、人物９００が自車両８００に気付いたか否かを判定し、人物９００が自車両８００に気付いた場合はステップＳ２０へ進む。ステップＳ２０では、対象との距離が離れたか否かを判定する。ここでは、対象との距離が、しきい値Ｘよりも大きな別のしきい値以上の場合に、対象との距離が離れたと判定する。対象との距離が離れた場合はステップＳ２４へ進む。ステップＳ２４では、表示を終了し、本制御周期における処理を終了する（ＥＮＤ）。
【００３６】
また、ステップＳ２０で人物９００が自車両８００に気付いていない場合はステップＳ２６へ進む。ステップＳ２６では、スピーカ６００から警笛などの音を発音させ、対象に車両を気付かせるようにする。ステップＳ２６の後はステップＳ２０へ進む。
【００３７】
また、ステップＳ２０で対象との距離が離れていないことが判定された場合は、本制御周期における処理を終了する（ＥＮＤ）。
【００３８】
以上説明したように本実施形態によれば、車両外の人物に対して表示をする際に、表示を反転させるようにしたため、車両内のドライバ等の人物に表示内容を確実に認識させることができる。また、車両外の人物が接近している場合など、緊急性の高い場合は、表示の反転を行わずに車両外の人物に対して表示を行うことで、車両外の人物に対して確実に表示内容を認識させることが可能となる
【００３９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４０】
４０２    環境情報取得部
４０７    環境状態判定部
４１４    ＨＵＤ制御部
５００    ＨＵＤ装置
【図１】
2018156176.tif 000003
【図２】
2018156176.tif 000004
【図３】
2018156176.tif 000005
【図４】
2018156176.tif 000006
【図５】
2018156176.tif 000007
【図６】
2018156176.tif 000008
【図７】
2018156176.tif 000009